【手続補正書】
【提出日】平成27年6月3日(2015.6.3)
【手続補正１】
【補正対象書類名】特許請求の範囲
【補正対象項目名】全文
【補正方法】変更
【補正の内容】
【特許請求の範囲】
【請求項１】
互いに異なる複数の表示方向にそれぞれ異なる複数の画像を表示する表示部であって、２以上の色の各々に対応する２以上のサブピクセルを含む複数の画素と、前記各サブピクセルの光を前記複数の表示方向のうちサブピクセル毎に予め決められた表示方向に向ける視差光学素子とを有し、前記各表示方向に表示される各サブピクセルが混在する表示部の各サブピクセルに対応する階調値を含む画像信号を受け付ける画像入力部と、
前記各サブピクセルのうち、前記視差光学素子の欠陥により本来の表示方向以外の表示方向にも表示されるサブピクセルである欠陥サブピクセルを示す欠陥情報を記憶する欠陥情報記憶部と、
前記画像信号のうち、前記欠陥情報が示す欠陥サブピクセルの本来の表示方向とは異なる他の表示方向を本来の表示方向とするサブピクセルの階調値に基づき、前記欠陥サブピクセルに対応する、前記他の表示方向に表示される画像の階調値を補正値として求め、前記画像信号に含まれる前記欠陥サブピクセルの階調値および前記補正値のうち小さい値を前記欠陥サブピクセルの階調値として含む補正後の画像信号を出力する補正部と
を備えることを特徴とする画像処理装置。
【請求項２】
前記複数の表示方向は、３以上の表示方向であり、
前記補正部は、前記欠陥サブピクセルが前記視差光学素子の欠陥により表示される表示方向である１以上の欠陥表示方向の各々について、前記欠陥表示方向を本来の表示方向とするサブピクセルの階調値に基づき、前記欠陥サブピクセルに対応する、前記欠陥表示方向に表示される画像の階調値を補正値として求め、前記画像信号に含まれる前記欠陥サブピクセルの階調値および前記欠陥表示方向毎に求めた補正値のうち最も小さい値を前記欠陥サブピクセルの階調値として含む補正後の画像信号を出力する
ことを特徴とする請求項１に記載の画像処理装置。
【請求項３】
前記複数の表示方向は、３以上の表示方向であり、
前記補正部は、前記複数の表示方向のうち前記欠陥サブピクセルの本来の表示方向とは異なる２以上の他の表示方向の各々について、前記他の表示方向を本来の表示方向とするサブピクセルの階調値に基づき、前記欠陥サブピクセルに対応する、前記他の表示方向に表示される画像の階調値を補正値として求め、前記画像信号に含まれる前記欠陥サブピクセルの階調値および前記他の表示方向毎に求めた補正値のうち最も小さい値を前記欠陥サブピクセルの階調値として含む補正後の画像信号を出力する
ことを特徴とする請求項１に記載の画像処理装置。
【請求項４】
前記補正部は、前記欠陥サブピクセルが前記視差光学素子の欠陥により表示される表示方向である１以上の欠陥表示方向のいずれかが、前記互いに異なる複数の表示方向のうち予め決められた優先すべき表示方向である場合、前記優先すべき表示方向について前記補正値を求め、前記小さい値の代わりに、前記優先すべき表示方向について求めた補正値を前記欠陥サブピクセルの階調値として含む補正後の画像信号を出力する
ことを特徴とする請求項１または２に記載の画像処理装置。
【請求項５】
前記補正部は、前記複数の表示方向のうち前記欠陥サブピクセルの本来の表示方向とは異なる１以上の他の表示方向のいずれかが、前記互いに異なる複数の表示方向のうち予め決められた優先すべき表示方向である場合、前記優先すべき表示方向について前記補正値を求め、前記小さい値の代わりに、前記優先すべき表示方向について求めた補正値を前記欠陥サブピクセルの階調値として含む補正後の画像信号を出力する
ことを特徴とする請求項１から３のいずれか１項に記載の画像処理装置。
【請求項６】
前記補正部は、前記欠陥サブピクセルの本来の表示方向が、前記互いに異なる複数の表示方向のうち予め決められた優先すべき表示方向である場合、前記小さい値の代わりに、前記画像信号に含まれる前記欠陥サブピクセルの階調値を含む補正後の画像信号を出力する
ことを特徴とする請求項１から５のいずれか１項に記載の画像処理装置。
【請求項７】
前記補正部は、前記欠陥サブピクセルの本来の表示方向とは異なる他の表示方向を本来の表示方向とするサブピクセルの階調値のうち、前記欠陥サブピクセルの周辺に位置し、前記欠陥サブピクセルと同色のサブピクセルの階調値に基づき、前記補正値を求める
ことを特徴とする請求項１から６のいずれか１項に記載の画像処理装置。
【請求項８】
前記補正部は、前記補正値を求めて前記小さい値を前記欠陥サブピクセルの階調値として含む補正後の画像信号を出力する代わりに、黒に相当する階調値を前記欠陥サブピクセルの階調値として含む補正後の画像信号を出力する
ことを特徴とする請求項１に記載の画像処理装置。
【請求項９】
請求項１から８のいずれか１項に記載の画像処理装置と、
前記補正部が出力した補正後の画像信号に基づき、前記互いに異なる複数の表示方向にそれぞれ異なる前記複数の画像を表示する前記表示部と
を備えることを特徴とする画像表示装置。
【請求項１０】
互いに異なる複数の表示方向にそれぞれ異なる複数の画像を表示する表示部であって、２以上の色の各々に対応する２以上のサブピクセルを含む複数の画素と、前記各サブピクセルの光を前記複数の表示方向のうちサブピクセル毎に予め決められた表示方向に向ける視差光学素子とを有し、前記各表示方向に表示される各サブピクセルが混在する表示部の各サブピクセルに対応する階調値を含む画像信号を受け付ける画像入力ステップと、
前記各サブピクセルのうち、前記視差光学素子の欠陥により本来の表示方向以外の表示方向にも表示されるサブピクセルである欠陥サブピクセルを示す欠陥情報を記憶する欠陥情報記憶ステップと、
前記画像信号のうち、前記欠陥情報が示す欠陥サブピクセルの本来の表示方向とは異なる他の表示方向を本来の表示方向とするサブピクセルの階調値に基づき、前記欠陥サブピクセルに対応する、前記他の表示方向に表示される画像の階調値を補正値として求め、前記画像信号に含まれる前記欠陥サブピクセルの階調値および前記補正値のうち小さい値を前記欠陥サブピクセルの階調値として含む補正後の画像信号を出力する補正ステップと
を含むことを特徴とする画像処理方法。
【請求項１１】
互いに異なる複数の表示方向にそれぞれ異なる複数の画像を表示する表示部であって、２以上の色の各々に対応する２以上のサブピクセルを含む複数の画素と、前記各サブピクセルの光を前記複数の表示方向のうちサブピクセル毎に予め決められた表示方向に向ける視差光学素子とを有し、前記各表示方向に表示される各サブピクセルが混在する表示部の各サブピクセルに対応する階調値を含む画像信号を受け付ける画像入力ステップと、
前記各サブピクセルのうち、前記視差光学素子の欠陥により本来の表示方向以外の表示方向にも表示されるサブピクセルである欠陥サブピクセルを示す欠陥情報を記憶する欠陥情報記憶ステップと、
前記画像信号のうち、前記欠陥情報が示す欠陥サブピクセルの本来の表示方向とは異なる他の表示方向を本来の表示方向とするサブピクセルの階調値に基づき、前記欠陥サブピクセルに対応する、前記他の表示方向に表示される画像の階調値を補正値として求め、前記画像信号に含まれる前記欠陥サブピクセルの階調値および前記補正値のうち小さい値を前記欠陥サブピクセルの階調値として含む補正後の画像信号を出力する補正ステップと
をコンピュータに実行させることを特徴とする画像処理プログラム。
【手続補正２】
【補正対象書類名】明細書
【補正対象項目名】０００８
【補正方法】変更
【補正の内容】
【０００８】
本発明の画像処理装置は、
互いに異なる複数の表示方向にそれぞれ異なる複数の画像を表示する表示部であって、２以上の色の各々に対応する２以上のサブピクセルを含む複数の画素と、前記各サブピクセルの光を前記複数の表示方向のうちサブピクセル毎に予め決められた表示方向に向ける視差光学素子とを有し、前記各表示方向に表示される各サブピクセルが混在する表示部の各サブピクセルに対応する階調値を含む画像信号を受け付ける画像入力部と、
前記各サブピクセルのうち、前記視差光学素子の欠陥により本来の表示方向以外の表示方向にも表示されるサブピクセルである欠陥サブピクセルを示す欠陥情報を記憶する欠陥情報記憶部と、
前記画像信号のうち、前記欠陥情報が示す欠陥サブピクセルの本来の表示方向とは異なる他の表示方向を本来の表示方向とするサブピクセルの階調値に基づき、前記欠陥サブピクセルに対応する、前記他の表示方向に表示される画像の階調値を補正値として求め、前記画像信号に含まれる前記欠陥サブピクセルの階調値および前記補正値のうち小さい値を前記欠陥サブピクセルの階調値として含む補正後の画像信号を出力する補正部と
を備えることを特徴とする。
【手続補正３】
【補正対象書類名】明細書
【補正対象項目名】００１０
【補正方法】変更
【補正の内容】
【００１０】
本発明の画像処理方法は、
互いに異なる複数の表示方向にそれぞれ異なる複数の画像を表示する表示部であって、２以上の色の各々に対応する２以上のサブピクセルを含む複数の画素と、前記各サブピクセルの光を前記複数の表示方向のうちサブピクセル毎に予め決められた表示方向に向ける視差光学素子とを有し、前記各表示方向に表示される各サブピクセルが混在する表示部の各サブピクセルに対応する階調値を含む画像信号を受け付ける画像入力ステップと、
前記各サブピクセルのうち、前記視差光学素子の欠陥により本来の表示方向以外の表示方向にも表示されるサブピクセルである欠陥サブピクセルを示す欠陥情報を記憶する欠陥情報記憶ステップと、
前記画像信号のうち、前記欠陥情報が示す欠陥サブピクセルの本来の表示方向とは異なる他の表示方向を本来の表示方向とするサブピクセルの階調値に基づき、前記欠陥サブピクセルに対応する、前記他の表示方向に表示される画像の階調値を補正値として求め、前記画像信号に含まれる前記欠陥サブピクセルの階調値および前記補正値のうち小さい値を前記欠陥サブピクセルの階調値として含む補正後の画像信号を出力する補正ステップと
を含むことを特徴とする。
【手続補正４】
【補正対象書類名】明細書
【補正対象項目名】００１１
【補正方法】変更
【補正の内容】
【００１１】
本発明の画像処理プログラムは、
互いに異なる複数の表示方向にそれぞれ異なる複数の画像を表示する表示部であって、２以上の色の各々に対応する２以上のサブピクセルを含む複数の画素と、前記各サブピクセルの光を前記複数の表示方向のうちサブピクセル毎に予め決められた表示方向に向ける視差光学素子とを有し、前記各表示方向に表示される各サブピクセルが混在する表示部の各サブピクセルに対応する階調値を含む画像信号を受け付ける画像入力ステップと、
前記各サブピクセルのうち、前記視差光学素子の欠陥により本来の表示方向以外の表示方向にも表示されるサブピクセルである欠陥サブピクセルを示す欠陥情報を記憶する欠陥情報記憶ステップと、
前記画像信号のうち、前記欠陥情報が示す欠陥サブピクセルの本来の表示方向とは異なる他の表示方向を本来の表示方向とするサブピクセルの階調値に基づき、前記欠陥サブピクセルに対応する、前記他の表示方向に表示される画像の階調値を補正値として求め、前記画像信号に含まれる前記欠陥サブピクセルの階調値および前記補正値のうち小さい値を前記欠陥サブピクセルの階調値として含む補正後の画像信号を出力する補正ステップと
をコンピュータに実行させることを特徴とする。